(57)【要約】【課題】予め入力された設定情報に基づいて、所望の情報をリアルタイムで提供する。【解決手段】情報処理装置１０は、ユーザ操作により予め入力された設定情報に基づいて、ネットワークに接続されたサーバ２０に所望の検索情報を問い合わせる問い合わせ部１２と、前記問い合わせ部１２により前記サーバ２０に問い合わせられた検索情報を受信する受信部１４と、前記受信部により受信された検索情報を、所定のタイミングに通知する通知部１３と、を備える。【選択図】図３
2010191486.tif 000002
【特許請求の範囲】
【請求項１】
ユーザ操作により予め入力された設定情報に基づいて、ネットワークに接続されたサーバに所望の検索情報を問い合わせる問い合わせ部と、
前記問い合わせ部により前記サーバに問い合わせられた検索情報を受信する受信部と、
前記受信部により受信された検索情報を、所定のタイミングに通知する通知部と、
を備える、情報処理装置。
【請求項２】
ユーザ操作により予め入力された設定情報から、前記問い合わせ部により検索情報を問い合わせさせるための所定の情報を抽出する抽出部を備え、
前記問い合わせ部は、前記抽出部により抽出された所定の情報に基づいて、前記サーバに所望の検索情報を問い合わせる、請求項１に記載の情報処理装置。
【請求項３】
前記通知部は、前記検索情報を所定のタイミングで表示装置に表示させる、請求項１または２のいずれかに記載の情報処理装置。
【請求項４】
前記受信部は、前記検索情報以外の情報を受信し、
前記問い合わせ部は、前記受信部により前記検索情報以外の情報が受信された場合に、前記サーバに再度検索情報を問い合わせる、請求項１〜３のいずれかに記載の情報処理装置。
【請求項５】
前記通知部は、
前記受信部により新たに受信された検索情報が、以前に受信された検索情報と異なる場合に該検索情報を通知する、請求項１〜４のいずれかに記載の情報処理装置。
【請求項６】
ユーザ操作により予め入力された前記設定情報は、ユーザのスケジュール情報であり、
前記問い合わせ部は前記設定情報に含まれるスケジュール情報に基づいて、所定の案内情報を問い合わせる、請求項１〜５のいずれかに記載の情報処理装置。
【請求項７】
前記抽出部は、前記設定情報から現在時刻に応じたユーザのスケジュール情報を抽出する、請求項２〜６のいずれかに記載の情報処理装置。
【請求項８】
前記通知部は、ユーザのスケジュール情報を含むカレンダーとともに、前記問い合わせ部により問い合わせられたスケジュール情報に基づく所定の案内情報を表示装置に表示させる、請求項６または７のいずれかに記載の情報処理装置。
【請求項９】
ユーザ操作により予め入力された設定情報に基づいて、ネットワークに接続されたサーバに所望の検索情報を問い合わせるステップと、
前記サーバに問い合わせられた検索情報を受信するステップと、
前記受信された検索情報を、所定のタイミングに通知するステップと、
を含む、情報処理方法。
【請求項１０】
コンピュータを、
ユーザ操作により予め入力された設定情報に基づいて、ネットワークに接続されたサーバに所望の検索情報を問い合わせる問い合わせ部と、
前記問い合わせ部により前記サーバに問い合わせられた検索情報を受信する受信部と、
前記受信部により受信された検索情報を、所定のタイミングに通知する通知部と、
を備える、情報処理装置として機能させるための、プログラム。
【発明の詳細な説明】
【技術分野】
【０００１】
本発明は、情報処理装置、情報処理方法およびプログラムに関し、特に、スケジュール情報に基づいてリアルタイムに所望の情報を提供する情報処理装置、情報処理方法およびプログラムに関する。
【背景技術】
【０００２】
近年、ＰＣ（Ｐｅｒｓｏｎａｌ  Ｃｏｍｐｕｔｅｒ）や携帯端末などに搭載されているスケジュール管理システムを用いて、自身のスケジュールを管理することが頻繁に行われている。スケジュール管理システムは、ＰＣ等において動作するソフトウェアであり、ユーザは、予定の詳細や場所、時間等のスケジュール情報を入力する。
【０００３】
上記スケジュール管理システムでは、ユーザによりスケジュール情報が入力されることによって、例えば、１月毎に該当日にスケジュール情報が表示されたカレンダー状のスケジュール表を作成したり、入力された予定時間に近づいた場合に当該予定を表示したりすることができる。また、入力されたスケジュール情報から、移動情報を取得して、移動に使用する交通機関や運賃等に基づいて、移動区間の運賃等を検索する技術が開示されている（例えば、特許文献１）。特許文献１によれば、ユーザに入力されたスケジュール情報から、ユーザが移動する際に発生する交通費等を自動的に計算して、清算処理等をすることが可能となる。
【先行技術文献】
【特許文献】
【０００４】
【特許文献１】特開２００２−２４５２１３号公報
【発明の概要】
【発明が解決しようとする課題】
【０００５】
ところで最近では、ＰＣや携帯端末等の様々な機器がインターネット等に接続して種々の情報を取得できるようになっている。ユーザは、インターネット等に接続された端末機器において、目的地や出発時間を入力することにより、乗り換え情報や到着時間を検索することができる。ユーザにより予め入力されたスケジュール情報を元に、自動的に乗り換え情報等が検索されてユーザに提供されれば、ユーザにとっての利便性が向上する。
【０００６】
上記特許文献１では、ユーザにより入力されたスケジュール情報から時刻とは関係のない移動に関する情報を取得して、交通費等の固定化された情報を検索することができる。しかしながら、現在時刻と対応付けられたスケジュール情報に基づいて、リアルタイムな情報を検索して提供することはできなかった。
そこで、本発明は、上記問題に鑑みてなされたものであり、本発明の目的とするところは、予め入力された設定情報に基づいて、所望の情報をリアルタイムで提供することが可能な、新規かつ改良された情報処理装置、情報処理方法およびプログラムを提供することにある。
【課題を解決するための手段】
【０００７】
上記課題を解決するために、本発明のある観点によれば、ユーザ操作により予め入力された設定情報に基づいて、ネットワークに接続されたサーバに所望の検索情報を問い合わせる問い合わせ部と、問い合わせ部によりサーバに問い合わせられた検索情報を受信する受信部と、受信部により受信された検索情報を、所定のタイミングに通知する通知部と、を備える、情報処理装置が提供される。
【０００８】
かかる構成によれば、ユーザ操作により予め入力された設定情報に基づいて、ネットワークに接続されたサーバに所望の検索情報を問い合わせて、サーバから受信した検索情報を所定のタイミングで通知することができる。これによりユーザは、予め所定の設定情報等を入力しておくだけで、所望の情報をリアルタイムで取得することが可能となる。
【０００９】
また、ユーザ操作により予め入力された設定情報から、問い合わせ部により検索情報を問い合わせさせるための所定の情報を抽出する抽出部を備え、問い合わせ部は、抽出部により抽出された所定の情報に基づいて、サーバに所望の検索情報を問い合わせるようにしてもよい。
【００１０】
また、上記通知部は、検索情報を所定のタイミングで表示装置に表示させるようにしてもよい。
【００１１】
また、上記受信部は、検索情報以外の情報を受信し、問い合わせ部は、受信部により検索情報以外の情報が受信された場合に、サーバに再度検索情報を問い合わせるようにしてもよい。
【００１２】
また、上記通知部は、受信部により新たに受信された検索情報が、以前に受信された検索情報と異なる場合に該検索情報を通知するようにしてもよい。
【００１３】
また、ユーザ操作により予め入力された設定情報は、ユーザのスケジュール情報であり、問い合わせ部は設定情報に含まれるスケジュール情報に基づいて、所定の案内情報を問い合わせるようにしてもよい。
【００１４】
また、上記抽出部は、設定情報から現在時刻に応じたユーザのスケジュール情報を抽出するようにしてもよい。
【００１５】
また、上記通知部は、ユーザのスケジュール情報を含むカレンダーとともに、問い合わせ部により問い合わせられたスケジュール情報に基づく所定の案内情報を表示装置に表示させるようにしてもよい。
【００１６】
また、上記課題を解決するために、本発明の別の観点によれば、ユーザ操作により予め入力された設定情報に基づいて、ネットワークに接続されたサーバに所望の検索情報を問い合わせるステップと、サーバに問い合わせられた検索情報を受信するステップと、受信された検索情報を、所定のタイミングに通知するステップと、を含む、情報処理方法が提供される。
【００１７】
また、上記課題を解決するために、本発明の別の観点によれば、コンピュータを、ユーザ操作により予め入力された設定情報に基づいて、ネットワークに接続されたサーバに所望の検索情報を問い合わせる問い合わせ部と、問い合わせ部によりサーバに問い合わせられた検索情報を受信する受信部と、受信部により受信された検索情報を、所定のタイミングに通知する通知部と、を備える、情報処理装置として機能させるための、プログラムが提供される。
【発明の効果】
【００１８】
以上説明したように本発明によれば、予め入力された設定情報に基づいて、所望の情報をリアルタイムで提供することができる。
【図面の簡単な説明】
【００１９】
【図１】本発明の一実施形態にかかる情報処理装置を概略的に示した模式図である。
【図２】同実施形態にかかる情報処理装置のハードウェア構成を示すブロック図である。
【図３】同実施形態にかかる情報処理装置の機能構成を示したブロック図である。
【図４】同実施形態にかかる情報処理装置の情報処理方法を示すフローチャートである。
【図５】同実施形態にかかる情報処理装置の情報処理方法を示すフローチャートである。
【図６】同実施形態にかかる情報処理装置における問い合わせ方法について説明する説明図である。
【図７】同実施形態にかかる情報処理装置における表示例について説明する説明図である。
【図８】同実施形態にかかる情報処理装置における表示例について説明する説明図である。
【図９】同実施形態にかかる情報処理装置における表示例について説明する説明図である。
【図１０】同実施形態にかかる情報処理装置における表示例について説明する説明図である。
【図１１】同実施形態にかかる情報処理装置における表示例について説明する説明図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
また、以下に示す順序に従って、当該「発明を実施するための最良の形態」を説明する。
〔１〕本実施形態の目的
〔２〕情報処理装置の概要
〔３〕情報処理装置のハードウェア構成
〔４〕情報処理装置の機能構成
〔５〕情報処理装置の動作
〔６〕情報処理装置の表示装置における表示例
【００２２】
〔１〕本実施形態の目的
まず本発明の実施形態の目的について説明する。近年、ＰＣ（Ｐｅｒｓｏｎａｌ  Ｃｏｍｐｕｔｅｒ）や携帯端末などに搭載されているスケジュール管理システムを用いて、自身のスケジュールを管理することが頻繁に行われている。スケジュール管理システムは、ＰＣ等において動作するソフトウェアであり、ユーザは、予定の詳細や場所、時間等のスケジュール情報を入力する。
【００２３】
上記スケジュール管理システムでは、ユーザによりスケジュール情報が入力されることによって、例えば、１月毎に該当日にスケジュール情報が表示されたカレンダー状のスケジュール表を作成したり、入力された予定時間に近づいた場合に当該予定を表示したりすることができる。また、入力されたスケジュール情報から、移動情報を取得して、移動に使用する交通機関や運賃等に基づいて、移動区間の運賃等を検索する技術が開示されている。当該運賃等の検索技術によれば、ユーザに入力されたスケジュール情報から、ユーザが移動する際に発生する交通費等を自動的に計算して、清算処理等をすることが可能となる。
【００２４】
ところで最近では、ＰＣや携帯端末等の様々な機器がインターネット等に接続して種々の情報を取得できるようになっている。ユーザは、インターネット等に接続された端末機器において、目的地や出発時間を入力することにより、乗り換え情報や到着時間を検索することができる。ユーザにより予め入力されたスケジュール情報を元に、自動的に乗り換え情報等が検索されてユーザに提供されれば、ユーザにとっての利便性が向上する。
【００２５】
上記した運賃等の検索技術では、ユーザにより入力されたスケジュール情報から時刻とは関係のない移動に関する情報を取得して、交通費等の固定化された情報を検索することができる。しかしながら、現在時刻と対応付けられたスケジュール情報に基づいて、リアルタイムな情報を検索して提供することはできなかった。
【００２６】
そこで、上記のような事情を一着眼点として、本発明の実施形態にかかる情報処理装置１０が創作されるに至った。本実施形態にかかる情報処理装置１０によれば、予め入力された設定情報に基づいて、所望の情報をリアルタイムで提供することが可能となる。
【００２７】
〔２〕情報処理装置の概要
次に、図１を参照して、本発明の一実施形態にかかる情報処理装置１０の概要について説明する。図１は、一実施形態にかかる情報処理装置１０を概略的に示した模式図である。  本実施形態では、特に、図１に示したような写真立て形状の情報処理装置１０を例示して説明するが、情報処理装置１０は、かかる例に限定されない。例えば、携帯電話やＰＤＡ（Ｐｅｒｓｏｎａｌ  Ｄｉｇｉｔａｌ  Ａｓｓｉｓｔａｎｔ）や小型のＰＣなど、表示装置を備える情報処理端末に本発明を適用することができる。また、情報処理装置１０とは別体に表示装置を備えていてもよい。
【００２８】
図１に示したように、情報処理装置１０は、例えば、フレームを有する筐体１、表示部２、操作釦３、支持用脚部４などを備える。筐体１は、表示部２を囲むフレームを有し、当該フレームに操作釦３などの操作手段を備える。また、フレームには、ユーザ操作が可能なタッチセンサやスイッチ、ランプなどを備える。さらに、インターネット等に接続するための通信用デバイスやメモリカード等の情報を読み書きするドライブ等を備える。
【００２９】
表示部２は、画像や文書等のコンテンツを表示するディスプレイであって、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置などを例示できる。
【００３０】
支持用脚部４は、筐体１に取り付けられ、表示部２が上向きに傾斜するように筐体１を支える。また、支持用脚部４が筐体１を支えることにより、筐体１は横向きに置かれたり、縦向きに置かれたりすることができる。
【００３１】
本実施形態では、情報処理装置１０は、図１に示した写真立て形状を有しており、ユーザは、情報処理装置１０の筐体１を保持して気軽に横向きにしたり縦向きにしたりすることができる。また、情報処理装置１０は、筐体１の傾きを検知する傾きセンサ（図示せず）を有している。情報処理装置１０は、筐体１が横向きであるか縦向きであるかを傾きセンサで検知して、筐体１の向きに応じた表示をするようにしてもよい。
【００３２】
〔３〕情報処理装置のハードウェア構成
以上、情報処理装置１０の概要について説明した。次に、図２を参照して、情報処理装置１０のハードウェア構成について説明する。図２は、本実施形態にかかる情報処理装置１０のハードウェア構成を示すブロック図である。
【００３３】
図２は、本実施形態にかかる情報処理装置１０のハードウェア構成を示した説明図である。図２に示したように、情報処理装置１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ホストバス１０４と、ブリッジ１０５と、外部バス１０６と、インタフェース１０７と、入力装置１０８と、出力装置１０９と、ストレージ装置（ＨＤＤ）１１０と、ドライブ１１１と、通信装置１１２とを備える。
【００３４】
ＣＰＵ１０１は、演算処理装置および制御装置として機能し、各種プログラムに従って情報処理装置１０内の動作全般を制御する。また、ＣＰＵ１０１は、マイクロプロセッサであってもよい。ＲＯＭ１０２は、ＣＰＵ１０１が使用するプログラムや演算パラメータ等を記憶する。ＲＡＭ１０３は、ＣＰＵ１０１の実行において使用するプログラムや、その実行において適宜変化するパラメータ等を一次記憶する。これらはＣＰＵバスなどから構成されるホストバス１０４により相互に接続されている。
【００３５】
ホストバス１０４は、ブリッジ１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０６に接続されている。なお、必ずしもホストバス１０４、ブリッジ１０５および外部バス１０６を分離構成する必要はなく、一のバスにこれらの機能を実装してもよい。
【００３６】
入力装置１０８は、例えば、マウス、キーボード、タッチパネル、ボタン、マイク、スイッチおよびレバーなどユーザが情報を入力するための入力手段と、ユーザによる入力に基づいて入力信号を生成し、ＣＰＵ１０１に出力する入力制御回路などから構成されている。情報処理装置１０のユーザは、該入力装置１０８を操作することにより、情報処理装置１０に対して各種のデータを入力したり処理動作を指示したりすることができる。
【００３７】
情報処理装置１０が、図１に示したような写真立て形状の装置である場合には、筐体１のフレームに設けられた操作釦を押下したり、同じくフレームに設けられたタッチパネルの該当部分を押下したりする。操作釦等の押下により、ユーザが、表示部２に表示されたコンテンツを切り替えたり、所望の情報を選択したりすることが可能となる。
【００３８】
出力装置１０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。表示装置は、画像データ等の各種情報をテキストまたはイメージで表示する。一方、音声出力装置は、音声データ等を音声に変換して出力する。
【００３９】
ストレージ装置１１０は、本実施形態にかかる情報処理装置１０の記憶部の一例として構成されたデータ格納用の装置である。ストレージ装置１１０は、記憶媒体、記憶媒体にデータを記録する記録装置、記憶媒体からデータを読み出す読出し装置および記憶媒体に記録されたデータを削除する削除装置などを含んでもよい。ストレージ装置１１０は、例えば、ＨＤＤ（Ｈａｒｄ  Ｄｉｓｋ  Ｄｒｉｖｅ）で構成される。このストレージ装置１１０は、ハードディスクを駆動し、ＣＰＵ１０１が実行するプログラムや各種データを格納する。また、このストレージ装置１１０には、画像や文書等のコンテンツデータ、メタデータ、および装置データなどが記録される。
【００４０】
ドライブ１１１は、記憶媒体用リーダライタであり、情報処理装置１０に内蔵、あるいは外付けされる。ドライブ１１１は、装着されている磁気ディスク、光ディスク、光磁気ディスク、または半導体メモリ等のリムーバブル記憶媒体１２０に記録されている情報を読み出して、ＲＡＭ１０３に出力する。
【００４１】
通信装置１１２は、例えば、通信網１２１に接続するための通信デバイス等で構成された通信インタフェースである。また、通信装置１１２は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。この通信装置１１２は、通信網１２１を介してインターネットに接続して各種情報を取得することができる。また、インターネット上で提供されるアプリケーション等を用いて、画像等のコンテンツを表示部２に表示させることができる。
【００４２】
〔４〕情報処理装置の機能構成
以上、情報処理装置１０のハードウェア構成について説明した。次に、図３を参照して、本実施形態にかかる情報処理装置１０の機能構成について説明する。
【００４３】
図３は、本実施形態にかかる情報処理装置１０の機能構成を示したブロック図である。図３に示したように、本実施形態にかかる情報処理装置１０は、主に、抽出部１１、問い合わせ部１２、通知部１３、受信部１４、記憶部１５などを備える。
【００４４】
記憶部１５には、ユーザ操作により予め入力された設定情報が記憶されている。ユーザにより入力される設定情報は、例えば、ユーザのスケジュール情報である。スケジュール情報は、スケジュール管理システム等のソフトウェアを用いて入力され、予定の詳細や場所、時間等の情報である。スケジュール管理システムは、情報処理装置１０に搭載され、ユーザ操作によりスケジュール情報が入力されるようにしてもよい。また、スケジュール管理システムが情報処理装置１０とは別体の装置に搭載されている場合には、入力されたスケジュール情報のみ情報処理装置１０の記憶部１５に記憶するようにしてもよい。さらに、情報処理装置１０に接続されたサーバ２０内で管理されているスケジュール情報を、ネットワークを介して受信して、受信したスケジュール情報を記憶部１５に記憶するようにしてもよい。
【００４５】
また、ユーザ操作により予め入力される設定情報としては、会社や学校等頻繁に行く場所への経路を例示できる。ユーザ操作により、自宅から会社等への経路として、使用する駅名や乗り換えの駅名等や、休日頻繁に出向く場所への経路や頻繁に立ち寄る場所などの複数の経路情報が設定情報として記憶部１５に記憶されている。
【００４６】
抽出部１１は、ユーザ操作により予め入力され、記憶部１５に記憶された設定情報から、後述する問い合わせ部１２によりサーバに問い合わせさせるための所定の情報を抽出する機能を有する。上記したように、設定情報にはスケジュール情報や経路情報などが含まれている。抽出部１１は、現在日時に応じたスケジュール情報と経路情報を記憶部１５に記憶された設定情報から抽出するようにしてもよい。例えば、現在時刻が午前７時であった場合には、該当日の午前７時付近のスケジュール情報を抽出し、該当日が平日であれば、ユーザが通常利用する通勤経路を抽出する。抽出部１１は、抽出した所定の情報を問い合わせ部１２に提供する。
【００４７】
問い合わせ部１２は、抽出部１１により抽出された設定情報に基づいて、ネットワークを介して接続されたサーバ２０に所望の検索情報を問い合わせる機能を有する。例えば、抽出部１１により、スケジュール情報と経路情報が抽出された場合には、スケジュール情報に含まれる日時や場所の情報と経路情報とを用いて、サーバ２０に乗り換え案内情報を問い合わせる。問い合わせ部１２は、所定の間隔でサーバ２０に問い合わせするようにしてもよいし、スケジュール情報の該当日時に問い合わせするようにしてもよい。
【００４８】
また、問い合わせ部１２は、抽出部１１により抽出されたスケジュール情報が休日のスケジュール情報であった場合には、日時や場所等を用いてサーバ２０にイベント情報等の問い合わせを行うようにしてもよい。例えば、「日曜日の１３時に渋谷で待ち合わせ」というスケジュール情報が提供された場合には、該当する日曜日の１３時以降、渋谷で上映されている映画の情報を問い合わせるようにしてもよい。
【００４９】
受信部１４は、問い合わせ部１２によりサーバ２０に問い合わせられた検索情報を受信する機能を有する。上記したように、問い合わせ部１２によりスケジュール情報と経路情報とにより乗り換え案内情報が問い合わせられた場合には、サーバ２０により検索された乗り換え案内情報を受信する。ここで、乗り換え案内情報は、現在時刻において最短距離となる経路情報や、電車等の運行時刻等などである。受信部１４は、受信した検索情報を通知部１３に提供する。
【００５０】
また、受信部１４は、問い合わせ部１２により問い合わせた結果として受信する検索情報以外の情報を受信する。例えば、設定情報に含まれる経路に関連する電車等の事故情報や、当日の天候情報等を受信するようにしてもよい。受信部１４は、定期的に事故情報等を受信するようにしてもよいし、事故等があった場合に当該事故情報を受信するようにしてもよい。天候情報についても、所定の時間に受信するようにしてもよいし、ユーザ操作に応じて受信するようにしてもよい。
【００５１】
受信部１４は、問い合わせ部１２により問い合わせた結果としての検索情報以外の情報を受信した場合には、当該情報を受信した旨を問い合わせ部１２に通知する。問い合わせ部１２は、受信部１４より検索情報以外の情報を受信した旨の通知があった場合には、再度サーバ２０に検索情報の問い合わせを行う。
【００５２】
通知部１３は、受信部１４により提供された検索情報を、所定のタイミングで通知する機能を有する。所定のタイミングとは、例えば、３０分毎に通知するようにしてもよいし、ユーザ操作に応じて通知してもよい。また、カレンダー等の所定のアプリケーションが起動された場合に通知するようにしてもよい。また、受信部１４により提供された情報が、以前に通知された情報と異なる場合に該情報を通知するようにしてもよい。
【００５３】
ここで通知部１３による通知とは、表示装置に所定の情報を表示させてもよいし、音声装置により所定の情報を音声出力してもよいし、ブザー音とともに表示装置に表示させるようにしてもよい。通知部１３により表示装置への表示内容については、後で詳細に説明する。
【００５４】
通知部１３は、受信部１４により受信した経路情報から、ユーザが自宅を出発する目安の時間を算出して通知するようにしてもよい。また、受信部１４により事故情報等の通常時の情報とは異なる情報を取得した場合には、事故情報等を考慮した出発時間を算出して通知するようにしてもよい。さらに、事故情報等を通知する場合には、アラーム音等を出力して、ユーザに注意を促すようにしてもよい。さらに、受信部１４により事故情報等を提供された場合には、通常時にセットされている目覚まし音を通常時よりも所定時間早めて出力するようにしてもよい。
【００５５】
また、平日は電車の事故情報や遅延情報を通知し、休日は渋滞情報を通知してもよい。また、夕方以降の時間帯には、サーバ２０から提供されるニュース速報等を通知するようにしてもよい。また、通知部１３は、記憶部１５に記憶されているスケジュール情報を表示装置に表示させてもよい。
【００５６】
上記したように、問い合わせ部１２により、休日の所定場所の映画情報について問い合わせが行われた場合には、通知部１３は、サーバ２０から検索情報として受信部１４により受信された映画情報を表示装置１６に表示する。また、映画情報等のイベント情報とともに、イベントが行われている場所までの経路情報や乗り換え案内情報を表示装置１６に表示してもよい。
【００５７】
〔５〕情報処理装置の動作
以上、情報処理装置１０の構成について説明した。次に、図４および図５を参照して、情報処理装置の動作の詳細について説明する。図４および図５は、情報処理装置１０の情報処理方法を示すフローチャートである。図４に示したように、まず、抽出部１１は、記憶部１５に記憶されている設定情報から、問い合わせ部１２によりサーバ２０に問い合わせさせるための情報を抽出する（Ｓ１０２）。
【００５８】
ステップＳ１０２において抽出部１１により抽出される情報は、ユーザのスケジュール情報や頻繁に利用する経路情報などである。記憶部１５に記憶されている設定情報には、ユーザ操作に応じて、予めスケジュール管理システム等のソフトウェアを用いて入力されたスケジュール情報などが含まれる。スケジュール情報は、記憶部１５に記憶されている設定情報に含まれていてもよいし、情報処理装置１０とは別体の装置に記憶されていてもよい。また、ネットワークで接続されたサーバ内にスケジュール情報等が管理され、ネットワークを介して該当日時のスケジュール情報を受信するようにしてもよい。
【００５９】
設定情報に含まれる経路情報については、会社や学校等頻繁に行く場所への経路や、休日頻繁に出向く場所への経路など複数の経路情報が予め入力されている。そして、ステップＳ１０２において抽出部１１により抽出された情報は、問い合わせ部１２に提供されて、問い合わせ部１２はサーバ２０に所望の検索情報の問い合わせを行う（Ｓ１０４）。
【００６０】
ステップＳ１０４において問い合わせ部１２においてサーバ２０に問い合わせる検索情報としては、スケジュール情報と経路情報とから問い合わせ可能な乗り換え案内情報などが例示できる。また、スケジュール情報に含まれる日時が休日の場合には、スケジュール情報に含まれる場所の情報に応じたイベント情報を問い合わせる。
【００６１】
そして、受信部１４は、ステップＳ１０４において問い合わせ部１２により問い合わせされた検索情報を受信する（Ｓ１０６）。上記したように、受信部１４は、乗り換え案内情報やイベント情報などを受信する。乗り換え案内情報は、例えば、現在時刻において最短距離となる経路情報や、電車等の運行時刻などである。また、イベント情報は、待ち合わせ時間と場所等に応じたイベント情報であって、例えば映画の上映時間の情報などを例示できる。
【００６２】
次に、通知部１３は、ステップＳ１０６において受信部１４により受信された検索情報を所定のタイミングで通知する（Ｓ１０８）。ステップＳ１０８における通知部１３による通知としては、例えば、検索情報を表示装置に表示したり、音声出力装置により出力したりするなどが挙げられる。ステップＳ１０８における通知のタイミングは、例えば、３０分毎に通知するようにしてもよいし、ユーザ操作に応じて通知してもよい。また、カレンダー等の所定のアプリケーションが起動された場合に通知するようにしてもよい。また、受信部１４により提供された情報が、以前に通知された情報と異なる場合に該情報を通知するようにしてもよい。
【００６３】
また、ステップＳ１０８において、受信部１４により受信した経路情報から、ユーザが自宅を出発する目安の時間を算出して通知するようにしてもよい。また、ステップＳ１０４において、問い合わせ部１２により、休日の所定場所の映画情報について問い合わせが行われた場合には、通知部１３は、サーバ２０から検索情報として受信部１４により受信された映画情報を表示装置１６に表示してもよい。また、映画情報等のイベント情報とともに、イベントが行われている場所までの経路情報や乗り換え案内情報を表示装置１６に表示してもよい。
【００６４】
次に、図５を参照して、受信部１４が検索情報以外の情報を受信した場合について説明する。図５に示したように、まず、受信部１４は、問い合わせ部１２により問い合わせされた検索情報以外の情報をサーバ２０から受信する（Ｓ２０２）。ステップＳ２０２において受信される検索情報以外の情報とは、例えば、設定情報に含まれる経路に関連する電車等の事故情報や、当日の天候情報などである。受信部１４は、定期的に事故情報等を受信するようにしてもよいし、事故等があった場合に当該事故情報を受信するようにしてもよい。天候情報についても、所定の時間に受信するようにしてもよいし、ユーザ操作に応じて受信するようにしてもよい。
【００６５】
ステップＳ２０２において、受信部１４により検索情報以外の情報が受信された場合には、問い合わせ部１２は、再度サーバ２０に問い合わせを行う（Ｓ２０４）。ステップＳ２０４におけるサーバ２０への問い合わせは、スケジュール情報と経路情報とから問い合わせ可能な乗り換え案内情報などである。
【００６６】
例えば、受信部１４により通勤経路として使用している経路が事故等のため使用できない場合には、記憶部１５に記憶されている設定情報のなかから、通常の通勤経路とは異なる他の経路を用いてサーバ２０に問い合わせを行う。これにより、事故情報が加味された乗り換え案内情報をリアルタイムに通知することが可能となる。
【００６７】
次に、ステップＳ２０４において問い合わせ部１２において問い合わせた結果としての検索情報を受信部１４がサーバ２０から受信する（Ｓ２０６）。そして、ステップＳ２０６において受信部１４により受信された検索情報を提供された通知部１３は、ステップＳ２０８の処理を実行する。すなわち、通知部１３は、ステップＳ２０６において受信した検索情報が、以前受信した検索情報と異なるか否かを判定する（Ｓ２０８）。
【００６８】
ステップＳ２０８において、新たに受信した検索情報が、以前に受信した検索情報と異なると判定された場合には、通知部１３は、新たに受信した検索情報を通知する（Ｓ２１０）。また、ステップＳ２０８において、新たに受信した検索情報が、以前に受信した検索情報と同じであると判定された場合には、通知部１３による通知はせずに処理を終了する。
【００６９】
ステップＳ２１０において、通知部１３は、受信部１４により事故情報等の通常時の情報とは異なる情報を取得した場合に、事故情報等を考慮した出発時間を算出して通知するようにしてもよい。さらに、事故情報等を通知する場合には、アラーム音等を出力して、ユーザに注意を促すようにしてもよい。さらに、受信部１４により事故情報等を提供された場合には、通常時にセットされている目覚まし音を通常時よりも所定時間早めて出力するようにしてもよい。
【００７０】
また、ステップＳ２１０において、通知部１３は、平日は電車の事故情報や遅延情報を通知し、休日は渋滞情報を通知してもよい。また、夕方以降の時間帯には、サーバ２０から提供されるニュース速報等を通知するようにしてもよい。また、通知部１３は、記憶部１５に記憶されているスケジュール情報を表示装置１６に表示させてもよい。
【００７１】
このように、情報処理装置１０によれば、予め入力されたスケジュール等の設定情報に基づいて、乗り換え案内情報等の所望の検索情報を表示装置等に所定のタイミングで表示させることができる。すなわち、ユーザが検索条件を入力してサーバ２０に問い合わせを行わなくとも所望の検索情報を取得することができる。
【００７２】
ユーザは、ユーザ自身のスケジュールを予め入力しておくだけで、好適なタイミングで自動的にユーザが所望する乗り換え案内等の情報を取得できる。また、通勤経路内の電車等に事故や遅延があった場合には、事故情報を加味した乗り換え案内等の情報を取得することができる。したがって、ユーザは面倒な入力や検索をせずとも、リアルタイムで所望の情報を取得することが可能となる。
【００７３】
〔６〕情報処理装置の表示装置における表示例
以上、情報処理装置１０の動作について説明した。次に、図６〜図１１を参照して、情報処理装置１０の表示装置における表示例について説明する。表示例の説明は、図６に示した具体例を用いた検索情報の問い合わせ方法とともに説明する。図６は、情報処理装置１０における問い合わせ方法について説明する説明図である。
【００７４】
図６に示したように、情報処理装置１０は、スケジューラ等のアプリケーションに連動して予め入力されたスケジュール情報５１から、日付、時間、場所、イベント名等の情報を抽出する。また、予め入力されたプリセット経路５２から日付、時間、経路を抽出する。そして、抽出された情報のうち、日付、時間、場所、経路等の乗り換え案内を自動で検索するための情報５３を用いて、サーバ２０に問い合わせする。
【００７５】
そして、通常時、サーバ２０から運行情報等の検索情報を取得すると、予め入力されている経路情報等に基づいて、出発目安時間、目的地までの最適な経路等の検索情報５４をユーザに通知する。また、さらに、交通機関に事故等があった場合には、事故情報５５を受信する。また、事故情報５５と予め入力されたプリセット経路５２とから、迂回経路の出発目安時間、通常時とは異なる目的地までの経路等の情報５６をユーザに通知する。
【００７６】
検索情報５４や事故情報５５、その他の情報５６の表示例については、例えば、図７に示した表示画面３００が考えられる。図７に示したように、表示画面３００には、ユーザにより予め入力されたスケジュール情報を含むカレンダー表示３０１とともに、出発目安時間や目的地までの経路等の検索情報３０２が表示されている。
【００７７】
表示画面３００に表示されるように、例えば、予め、ユーザにより「１月７日水曜日の９時３０分に恵比寿に立ち寄る」というスケジュール情報が入力されていた場合には、カレンダー内の該当日に入力されたスケジュール情報の時間、場所等が表示される。そして、１月７日水曜日の朝の時間帯の例えば７時半頃において、スケジュール情報に基づいた検索情報３０２が表示される。検索情報３０２には、例えば、９時半に恵比寿に到着するための出発目安時間の複数の候補が表示される。また、予めユーザにより入力されたプリセット経路に基づいて、ユーザの自宅の最寄り駅から目的地までの経路が表示される。
【００７８】
このように、ユーザは予め目的地や場所等のスケジュール情報を入力しておくだけで、該当する日時に出発目安時間等の所望の情報が表示装置１６に表示されることとなる。したがって、ユーザは、出勤前の朝の忙しい時間帯に、目的地までの時間や場所等の検索条件を検索画面に入力して出発時間や経路等を検索しなくても、所望の情報を入手することができる。
【００７９】
さらに、上記したように、通勤経路の電車に事故等があった場合には、事故情報を検索情報３０２が表示されている表示位置に表示させてもよい。これにより、ユーザはリアルタイムで予め入力したスケジュール情報に関連する情報を入手できることとなり、ユーザの利便性が向上する。
【００８０】
また、図８に示したように、検索情報３０２を、タブ形式で表示させるようにしてもよい。これにより、検索情報３０２に表示される所望の情報が複数種類ある場合に、複数種類の情報を簡単に閲覧することが可能となる。例えば、ユーザに優先して通知したい情報から順に１番目のタブ３０３〜４番目のタブ３０６まで表示させるようにしてもよい。例えば、スケジュール情報に基づく出発時間を１番目のタブ３０３に表示し、到着時間を２番目のタブ３０４に表示し、経路情報を３番目のタブに表示し、事故情報を３０６に表示させる。
【００８１】
例えば、出発時間や経路が変更となる場合には、事故情報のタブ３０６を一番手前に表示させるようにしてもよい。さらに、事故情報のタブ３０６を一番手前に表示させる際に、ユーザに注意を促すためのブザー音を出力するようにしてもよい。上記したように、事故情報をサーバ２０から受信した情報処理装置１０は、出発予定時間や経路時間を再度算出したり検索したりして、事故情報を加味した検索情報を出発時間のタブ３０３や経路のタブ３０５に表示する。したがって、ブザー音に気付いたユーザは、事故情報のタブ３０６を確認した後に、出発時間のタブ３０３、経路のタブ３０５を確認して、変更がないか否かを確認することができる。
【００８２】
次に、図９および図１０を参照して、休日における表示装置の表示例について説明する。図９に示したように、表示画面３５０には、ユーザにより予め入力されたスケジュール情報を含むカレンダー表示３５１とともに、おすすめ情報や経路等の検索情報３５２が表示されている。
【００８３】
表示画面３５０に表示されるように、例えば、予め、ユーザにより「１月１０日土曜日の１３時に渋谷で待ち合わせ」というスケジュール情報が入力されていた場合にはカレンダー内の該当日に入力されたスケジュール情報の時間、場所等が表示される。そして、１月１０日日曜日の午前中の例えば９時頃において、スケジュール情報に基づいた検索情報３５２が表示される。検索情報３５２には、例えば、１３時に渋谷に着いた場合に、その後に見ることができる映画の情報やイベント等のオススメ情報が表示される。また、予めユーザにより入力されたプリセット経路に基づいて、ユーザの自宅の最寄り駅から目的地までの経路が表示される。さらに、目的地の天気なども表示される。
【００８４】
検索情報３５２に表示されるおすすめ情報は、例えば、目的地の天気によって変更するようにしてもよい。例えば、天候が晴れの場合には屋外のイベントに関連する情報を表示し、天候が雨の場合には屋内のイベントに関連する情報を表示するようにしてもよい。このように、ユーザは待ち合わせの時間や場所等のスケジュール情報を入力しておくだけで、該当日時が休日であれば、待ち合わせの場所に適したイベント情報を入手することができる。また、予めユーザの嗜好情報等を入力しておくことにより、入力された嗜好情報を加味した好適なイベント情報を表示画面に表示させることが可能となる。
【００８５】
また、図１０に示したように、検索情報３５２を、タブ形式で表示させるようにしてもよい。該当日時が休日であった場合には、イベント情報のタブ３５３、天気のタブ３５４、おすすめプランのタブ３５５、渋滞情報のタブ３５６などを重ねて表示させるようにしてもよい。
【００８６】
おすすめプランのタブ３５５は、例えば、ユーザの嗜好情報と待ち合わせ場所を加味して、例えば、１３時から１８時までに実行可能なプランを表示させてもよい。さらに、おすすめプランとともに、おすすめプランに含まれる場所に行くための経路情報を表示させるようにしてもよい。
【００８７】
また、情報処理装置１０が、図１に示したように、フォトフレーム形状で縦向きまたは横向きに置くことができる装置であった場合には、図１１に示したような縦向き表示をするようにしてもよい。図１１に示したように、縦向き表示の場合には、表示画面４００に検索情報を複数並べて表示させてもよい。これにより、ユーザは複数種類の検索情報を一度に確認することが可能になり、利便性が向上する。
【００８８】
表示画面４００では、天気の情報４０２、イベント情報４０３、電車時刻４０４の３つの検索情報が表示されている。これらの３つの検索情報を定期的に他の検索情報に変更するようにしてもよい。また、電車の事故等があった場合には、表示画面４００の上部の写真画像部分に大きく目立つように表示して、ユーザに注意を促すようにしてもよい。
【００８９】
本実施形態にかかる情報処理装置１０によれば、ユーザ操作により予め入力された設定情報に基づいて、ネットワークに接続されたサーバ２０に所望の検索情報を問い合わせて、サーバ２０から受信した検索情報を所定のタイミングで通知することができる。検索情報の通知は、例えば、該検索情報を表示装置に表示したり、ブザー音を出力したりすることにより行われる。ユーザは、予めスケジュール情報等を入力しておくだけで、所望の情報をリアルタイムで取得することが可能となる。
【００９０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９１】
例えば、上記実施形態では、情報処理装置１０を操作するユーザのスケジュール情報に基づいて検索情報を通知することとしたが、本発明はかかる例に限定されない。例えば、ユーザと関係する他人のスケジュールに基づいて検索情報を通知するようにしてもよい。例えば、他人のスケジュールに基づいて、他人のスケジュールの空いている日時を通知するようにしてもよいし、本人と他人のスケジュールの合う日時を通知するようにしてもよい。さらに、共通のスケジュール情報を有している場合には、本人と他人のスケジュールや自宅の場所等からおすすめプラン等を提供するようにしてもよい。
【符号の説明】
【００９２】
１        筐体
２        表示部
３        操作釦
４        支持用脚部
１０      情報処理装置
１１      抽出部
１２      問い合わせ部
１３      通知部
１４      受信部
１５      記憶部
１６      表示装置
【図１】
2010191486.tif 000003
【図２】
2010191486.tif 000004
【図３】
2010191486.tif 000005
【図４】
2010191486.tif 000006
【図５】
2010191486.tif 000007
【図６】
2010191486.tif 000008
【図７】
2010191486.tif 000009
【図８】
2010191486.tif 000010
【図９】
2010191486.tif 000011
【図１０】
2010191486.tif 000012
【図１１】
2010191486.tif 000013